(57)【特許請求の範囲】
【請求項１】
利用者を識別する利用者識別データを取得する利用者識別データ取得手段と、
前記利用者識別データ取得手段により取得された利用者識別データの示す利用者による第１の端末の利用状況を示す第１の利用状況データを取得する第１の利用状況データ取得手段と、
第２の端末の収音手段により収音された音声を表す音声データを取得する音声データ取得手段と、
前記音声データ取得手段により取得された音声データを解析し、解析結果に応じて該音声データの採点を行う採点手段であって、前記第１の利用状況データ取得手段により取得された第１の利用状況データに応じた採点態様で該音声データを採点する採点手段と、
前記採点手段による採点結果を示すデータを出力する採点結果データ出力手段と
を具備することを特徴とする採点装置。
【請求項２】
前記利用者識別データ取得手段により取得された利用者識別データの示す利用者による前記第２の端末の利用状況を示す第２の利用状況データを取得する第２の利用状況データ取得手段と、
第１の端末の収音手段により収音された音声を表す第１の音声データを取得する第１の音声データ取得手段と、
前記第１の音声データ取得手段により取得された第１の音声データを解析し、解析結果に応じて採点を行う採点手段であって、前記第２の利用状況データ取得手段により取得された第２の利用状況データに応じた採点態様で該音声データを採点する第２の採点手段と、
前記第２の採点手段による採点結果を示すデータを出力する第２の採点結果データ出力手段と
を具備することを特徴とする請求項１に記載の採点装置。
【請求項３】
前記第１の利用状況データは、楽曲の再生回数、再生時間及び前記第２の端末の使用頻度のうちの少なくともいずれか一つを含む
ことを特徴とする請求項１又は２に記載の採点装置。
【発明の詳細な説明】
【技術分野】
【０００１】
本発明は、採点処理を行う技術に関する。
【背景技術】
【０００２】
カラオケボックスや飲食店等の店舗においては、店舗の管理者は、店舗に設置されたカラオケボックスによって事業としてのカラオケサービスを提供する。そのようなカラオケ装置（以下「業務用カラオケ装置」という）を利用する利用者は、その店舗の管理者に対してカラオケ装置の利用料金を支払うことによってカラオケを楽しむことができる。また、近年では、家庭でカラオケを楽しむための個人向けのカラオケ装置が提案されている。このようなカラオケ装置（以下「個人用カラオケ装置」という）は家庭に設置され、利用者に対して、所定の課金体系に従った課金処理が行われる。利用者は、カラオケシステムの提供者に対して利用料金を支払うことによってカラオケを楽しむことができる。また、カラオケ装置においては、カラオケ歌唱の採点機能を有するものが種々提案されている（例えば、特許文献１参照）。
【特許文献１】特開２００８−００９２９２号公報
【発明の開示】
【発明が解決しようとする課題】
【０００３】
ところで、家庭でカラオケを楽しんでいる個人用カラオケ装置の利用者が、外出先において業務用カラオケ装置を用いてカラオケを楽しむ場合がある。このような場合に、利用者に対して、利用状況に応じたサービスを提供することができれば好適である。
【０００４】
本発明は上述した背景の下になされたものであり、業務用カラオケ装置と個人用カラオケ装置との両方を利用する利用者に対して、利用状況に応じたサービスを提供することのできる技術を提供することを目的とする。
【課題を解決するための手段】
【０００５】
上記課題を解決するために、本発明は、利用者を識別する利用者識別データを取得する利用者識別データ取得手段と、前記利用者識別データ取得手段により取得された利用者識別データの示す利用者による第１の端末の利用状況を示す第１の利用状況データを取得する第１の利用状況データ取得手段と、第２の端末の収音手段により収音された音声を表す音声データを取得する音声データ取得手段と、前記音声データ取得手段により取得された音声データを解析し、解析結果に応じて該音声データの採点を行う採点手段であって、前記第１の利用状況データ取得手段により取得された第１の利用状況データに応じた採点態様で該音声データを採点する採点手段と、前記採点手段による採点結果を示すデータを出力する採点結果データ出力手段とを具備することを特徴とする採点装置を提供する。
【０００６】
本発明の好ましい態様において、前記利用者識別データ取得手段により取得された利用者識別データの示す利用者による前記第２の端末の利用状況を示す第２の利用状況データを取得する第２の利用状況データ取得手段と、第１の端末の収音手段により収音された音声を表す第１の音声データを取得する第１の音声データ取得手段と、前記第１の音声データ取得手段により取得された第１の音声データを解析し、解析結果に応じて採点を行う採点手段であって、前記第２の利用状況データ取得手段により取得された第２の利用状況データに応じた採点態様で該音声データを採点する第２の採点手段と、前記第２の採点手段による採点結果を示すデータを出力する第２の採点結果データ出力手段とを具備してもよい。
【０００７】
また、本発明の更に好ましい態様において、前記第１の利用状況データは、楽曲の再生回数、再生時間及び前記第２の端末の使用頻度のうちの少なくともいずれか一つを含んでもよい。
【発明の効果】
【０００８】
本発明によれば、業務用カラオケ装置と個人用カラオケ装置との両方を利用する利用者に対して、利用状況に応じたサービスを提供することができる。
【発明を実施するための最良の形態】
【０００９】
以下、図面を参照して、本発明の実施形態について説明する。
＜Ａ：構成＞
まず、図１を参照して、本発明に係る採点システムをカラオケサービスのために用いた形態について説明する。図において、複数の店舗１，１，…は、全国各地に開設されたカラオケボックスや飲食店等の店舗である。複数の店舗１，１，…には、それぞれルータ１１と複数の業務用カラオケ装置１２，１２，…とがＬＡＮ１３で接続されて設置されている。ルータ１１はＶＰＮ（Virtual Private Network）３上を流れるデータをＬＡＮ１３に中継する機器である。業務用カラオケ装置１２，１２，…は、楽曲データベース５から配信されるカラオケコンテンツを用いて利用者にカラオケサービスを提供する装置である。業務用カラオケ装置１２，１２，…は、それぞれＬＡＮ１３に接続され、楽曲データベース５から配信されるカラオケコンテンツを用いてカラオケ伴奏や歌詞テロップの表示を行うことによって、カラオケサービスを利用者に提供する。なお、図１においては、図面が煩雑になるのを防ぐため、ひとつの店舗１についてのみルータ１１と業務用カラオケ装置１２，１２，…とが図示されているが、他の店舗１にも同様にルータ１１と業務用カラオケ装置１２，１２，…が設置されている。
【００１０】
業務用カラオケ装置１２，１２，…は、ＬＡＮ１３、ルータ１１及びＶＰＮ３を介して店舗管理データベース４，楽曲データベース５，採点データベース６，課金管理装置７と接続されている。店舗管理データベース４は、各業務用カラオケ装置１２への配信状況や、コンテンツの再生回数等のログ管理を行うためのデータベースである。
【００１１】
楽曲データベース５は、楽曲の伴奏音や歌詞を表すカラオケコンテンツを複数記憶したデータベースである。このカラオケコンテンツは、業務用カラオケ装置１２及び個人用カラオケ装置２２においてカラオケ伴奏を行う際に用いられるコンテンツであり、業務用カラオケ装置１２及び個人用カラオケ装置２２に配信される。楽曲データベース５は、ＶＰＮ３等を介して接続された業務用カラオケ装置１２及び個人用カラオケ装置２２にカラオケコンテンツを配信する。
【００１２】
採点データベース６は、業務用カラオケ装置１２によるカラオケの採点結果を示す採点結果データを利用者毎に蓄積するデータベースである。この採点データベース６に蓄積された内容を用いて採点のランキング付け等が行われる。
【００１３】
課金管理装置７は、業務用カラオケ装置１２に配信されるカラオケコンテンツに基づいて、業務用の課金体系に従って、各店舗１の管理者に対して課金処理を行う装置である。以下の説明では、説明の便宜上、業務用カラオケ装置１２を利用する利用者を「エンドユーザ」と称して説明する。また、業務用カラオケ装置１２の管理者（店舗１の管理者）を「非エンドユーザ」と称して説明する。課金管理装置７は、業務用カラオケ装置１２と非エンドユーザとの対応関係を記憶しており、この対応関係に基づいて、業務用の課金体系に従って非エンドユーザに対して課金処理を行う。
【００１４】
家屋２，２，…は、エンドユーザが個人的にカラオケを楽しむ施設である。家屋２，２，…にはそれぞれ、家庭用ルータ２１と個人用カラオケ装置２２とがＬＡＮ２３で接続されて設置されている。家庭用ルータ２１はインターネット８上を流れるデータをＬＡＮ２３に中継する機器である。個人用カラオケ装置２２は、エンドユーザによって個人的に使用されるカラオケ装置である。個人用カラオケ装置２２は、家庭内ＬＡＮ２３に接続され、楽曲データベース５から配信されるカラオケコンテンツを用いてカラオケ伴奏や歌詞テロップの表示を行うことによって、エンドユーザにカラオケサービスを提供する。なお、図１においては、図面が煩雑になるのを防ぐため、ひとつの家屋２についてのみ家庭用ルータ２１と個人用カラオケ装置２２とが図示されているが、他の家屋２にも同様に家庭用ルータ２１と個人用カラオケ装置２２とが設置されている。個人用カラオケ装置２２は、家庭用ルータ２１とインターネット８を介して課金管理装置９，ユーザ管理データベース１０と接続されている。
【００１５】
課金管理装置９は、個人用カラオケ装置２２に配信されるカラオケコンテンツに基づいて、エンドユーザに対して課金処理を行う装置である。課金管理装置９は、個人用カラオケ装置２２とエンドユーザとの対応関係を記憶しており、この対応関係に基づいて、個人用の課金体系に従ってエンドユーザに対して課金処理を行う。
【００１６】
ユーザ管理データベース１０には、エンドユーザのカラオケコンテンツの購入履歴、装置の利用状況等を示すエンドユーザに係る各種のデータが、エンドユーザ毎に記憶されている。エンドユーザのそれぞれにはそのエンドユーザを識別するユーザＩＤ（識別情報）が割り当てられており、エンドユーザに係る各種のデータは、ユーザＩＤに対応付けられて記憶されている。このデータベースに登録されるデータの具体的な一例としては、例えば、エンドユーザによる業務用カラオケ装置１２の利用状況（利用した楽曲、装置を利用した時間、各楽曲の再生回数、装置の使用頻度、等）を示すデータ（以下「業務用利用状況データ」という）や、エンドユーザによる個人用カラオケ装置２２の利用状況を示すデータ（以下「個人用利用状況データ」）が用いられる。
【００１７】
次に、図２は、各店舗１に設置された業務用カラオケ装置１２の構成を示すブロック図である。図において、制御部１２１は、ＣＰＵ（Central Processing Unit）やＲＯＭ（Read Only Memory）、ＲＡＭ（Random Access Memory）を備え、ＲＯＭ又は記憶部１２２に記憶されているコンピュータプログラムを読み出して実行することにより、バスＢＵＳを介して業務用カラオケ装置１２の各部を制御する。記憶部１２２は、制御部１２１によって実行されるコンピュータプログラムやその実行時に使用されるデータを記憶するための記憶手段であり、例えばハードディスク装置である。表示部１２３は、液晶パネルを備え、制御部１２１による制御の下に各種の画像を表示する。操作部１２４は、業務用カラオケ装置１２の利用者による操作に応じた信号を出力する。マイクロホン１２５は、収音し、収音した音声を表す音声信号（アナログ信号）を出力する。音声処理部１２６は、マイクロホン１２５が出力する音声信号（アナログ信号）をＡ／Ｄ変換によりデジタルデータに変換する。また、音声処理部１２６は、供給されるデジタルデータをＤ／Ａ変換によりアナログ信号に変換してスピーカ１２７に供給する。スピーカ１２７は、音声処理部１２６から出力されるアナログ信号に応じた強度で放音する。通信部１２８は、他の装置との間でＶＰＮ３等を介して通信を行うための通信手段である。
【００１８】
なお、この実施形態では、マイクロホン１２５とスピーカ１２７とが業務用カラオケ装置１２に含まれている場合について説明するが、音声処理部１２６に入力端子及び出力端子を設け、オーディオケーブルを介してその入力端子に外部マイクロホンを接続する構成としても良い。同様に、オーディオケーブルを介してその出力端子に外部スピーカを接続する構成としても良い。また、この実施形態では、マイクロホン１２５から音声処理部１２６へ入力されるオーディオ信号及び音声処理部１２６からスピーカ１２７へ出力されるオーディオ信号がアナログオーディオ信号である場合について説明するが、デジタルオーディオデータを入出力するようにしても良い。このような場合には、音声処理部１２６にてＡ／Ｄ変換やＤ／Ａ変換を行う必要はない。表示部１２３についても同様であり、外部出力端子を設け、外部モニタを接続する構成としても良い。
【００１９】
記憶部１２２は、図示のように、カラオケコンテンツ記憶領域１２２１を有している。カラオケコンテンツ記憶領域１２２１には、楽曲の伴奏音や歌詞を表すカラオケコンテンツが記憶されている。これらのカラオケコンテンツは、楽曲データベース５から配信されたものである。このカラオケコンテンツには、楽曲の歌唱すべき旋律を示すガイドメロディを表すガイドメロディデータを含む。このガイドメロディデータは、業務用カラオケ装置１２が歌唱の採点を行う際に用いられるデータである。
【００２０】
次に、個人用カラオケ装置２２の構成について図面を参照しつつ説明する。図３は、個人用カラオケ装置２２の構成を示すブロック図である。図において、制御部２２１、記憶部２２２、表示部２２３、操作部２２４、マイクロホン２２５、音声処理部２２６、スピーカ２２７、通信部２２８、の機能はそれぞれ、業務用カラオケ装置１２の制御部１２１、記憶部１２２、表示部１２３、操作部１２４、マイクロホン１２５、音声処理部１２６、スピーカ１２７、通信部１２８の機能とほぼ同様であり、説明を省略する。
【００２１】
＜Ｂ：動作＞
次に、本システムの動作について説明する。
＜Ｂ−１：個人用カラオケコンテンツ配信動作＞
楽曲データベース５は、所定のタイミングで、カラオケコンテンツを個人用カラオケ装置２２に対して配信する。この配信タイミングは、例えば、１ヶ月毎、１週間毎等の、予め定められた時間間隔で配信するようにしてもよく、また、例えば、配信要求を示す配信要求データを個人用カラオケ装置２２から受信したタイミングで該配信要求データに対応するカラオケコンテンツを配信するようにしてもよい。楽曲データベース５から配信されたカラオケコンテンツは、個人用カラオケ装置２２のカラオケコンテンツ記憶領域２２２１に記憶される。
【００２２】
＜Ｂ−２：個人用カラオケ装置２２の採点動作＞
次に、個人用カラオケ装置２２の採点動作について説明する。利用者が個人用カラオケ装置２２の操作部２２４を用いて楽曲指定操作を行うと、制御部２２１は、操作部２２４から供給される信号に基づいてカラオケコンテンツ記憶領域２２２１に記憶されたカラオケコンテンツのいずれかを選択する。選択された楽曲のカラオケコンテンツがカラオケコンテンツ記憶領域２２２１から読み出され、音声処理部２２６がコンテンツをアナログの楽音信号に変換し、スピーカ２２７に供給する。これにより、スピーカ２２７からはカラオケコンテンツに応じた楽曲が放音される。エンドユーザは、スピーカ２２７から放音されるカラオケ伴奏に合わせて歌唱を行うことで、カラオケを楽しむことができる。
【００２３】
個人用カラオケ装置２２は、エンドユーザの利用状況を示す利用状況データを、ユーザ管理データベース１０に対して送信する。制御部２２１は、ユーザＩＤと、そのユーザＩＤに対応する個人用カラオケ装置２２の利用状況（利用した楽曲、装置を利用した時間、各楽曲の再生回数、装置の使用頻度、等）を示す個人利用状況データに対応付けて、ユーザ管理データベース１０に送信する。ユーザ管理データベース１０は、個人用カラオケ装置２２から受信するユーザＩＤと個人利用状況データとを対応付けて、データベースに登録する。これにより、ユーザ管理データベース１０には、エンドユーザによる個人用カラオケ装置２２の利用状況を示すデータが、エンドユーザ毎に蓄積される。
【００２４】
また、制御部２２１は、マイクロホン２２５によって収音された歌唱者の歌唱音声とカラオケコンテンツに含まれるガイドメロディデータとを比較し、比較結果に応じて歌唱の巧拙を採点する。なお、この採点処理は、従来のカラオケ装置で行われる採点処理と同様であり、ここではその詳細な説明を省略する。制御部２２１は、採点結果を示す採点結果データとユーザＩＤとを、採点データベース６に送信する。採点データベース６は、採点結果データとユーザＩＤとを対応付けて記憶する。
【００２５】
＜Ｂ−３：業務用カラオケコンテンツ配信動作＞
楽曲データベース５は、所定のタイミングで、カラオケコンテンツを業務用カラオケ装置１２に対して配信する。この配信タイミングは、例えば、１ヶ月毎、１週間毎等の、予め定められた時間間隔で配信するようにしてもよく、また、例えば、配信要求を示す配信要求データを業務用カラオケ装置１２から受信したタイミングで該配信要求データに対応するカラオケコンテンツを配信するようにしてもよい。楽曲データベース５から配信されたカラオケコンテンツは、業務用カラオケ装置１２のカラオケコンテンツ記憶領域１２２１に記憶される。このとき、課金管理装置７は、楽曲データベース５からの配信状況を示す配信状況データを、店舗を識別する店舗識別データに対応付けて、店舗管理データベース４に記憶する。
【００２６】
＜Ｂ−４：業務用カラオケ装置１２の採点動作＞
次に、業務用カラオケ装置１２の採点動作について説明する。利用者が業務用カラオケ装置１２の操作部１２４を用いて楽曲指定操作を行うと、制御部１２１は、操作部１２４から供給される信号に基づいてカラオケコンテンツ記憶領域１２２１に記憶されたカラオケコンテンツのいずれかを選択する。選択された楽曲のカラオケコンテンツがカラオケコンテンツ記憶領域１２２１から読み出され、音声処理部１２６がコンテンツをアナログの楽音信号に変換し、スピーカ１２７に供給する。これにより、スピーカ１２７からはカラオケコンテンツに応じた楽音が放音される。エンドユーザは、スピーカ１２７から放音されるカラオケ伴奏に合わせて歌唱を行うことで、カラオケを楽しむことができる。
【００２７】
業務用カラオケ装置１２を利用するにあたって、自身に割り当てられたユーザＩＤを、操作部１２４を用いて業務用カラオケ装置１２に入力することができる。操作部１２４は、操作された内容に応じた信号を出力し、制御部１２１は、入力されたユーザＩＤを、そのユーザＩＤに対応する業務用カラオケ装置１２の利用状況（利用した楽曲、装置を利用した時間、各楽曲の再生回数、装置の使用頻度、等）を示す業務利用状況データに対応付けて、ユーザ管理データベース１０に送信する。ユーザ管理データベース１０は、業務用カラオケ装置１２から受信するユーザＩＤと業務利用状況データとを対応付けて、データベースに登録する。これにより、ユーザ管理データベース１０には、エンドユーザによる業務用カラオケ装置１２の利用状況を示すデータが、エンドユーザ毎に蓄積される。
【００２８】
また、制御部１２１は、マイクロホン１２５によって収音されたエンドユーザの歌唱音声とカラオケコンテンツに含まれるガイドメロディデータとを比較し、比較結果に応じて歌唱の巧拙を採点する。このとき、制御部１２１は、ユーザ管理データベース１０からそのエンドユーザに対応する個人利用状況データを取得し、取得した個人利用状況データに応じた採点態様で採点する。より具体的には、例えば、制御部１２１は、まず、入力されたユーザＩＤを問い合わせ要求として、ユーザ管理データベース１０に送信する。ユーザ管理データベース１０は、受信したユーザＩＤに対応する個人利用状況データを読み出し、読み出した個人利用状況データを応答として業務用カラオケ装置１２に送信する。業務用カラオケ装置１２の制御部１２１は、ユーザ管理データベース１０から個人利用状況データを受信し、受信した個人利用状況データに応じて採点結果を修正する。採点態様としては、例えば、制御部１２１が、個人利用状況データの示す利用時間が長いほど採点結果が厳しくなるように採点するようにしてもよく、また、例えば、その楽曲の再生回数が多いほど採点結果が厳しくなるように採点するようにしてもよい。このように、制御部１２１が、予め定められたアルゴリズムに従って個人利用状況データを用いて採点するようにしてもよい。要は、制御部１２１が、個人利用状況データに応じた採点態様で採点するようにすればよい。
【００２９】
制御部１２１は、採点結果を示す採点結果データを表示部１２３に出力し、表示部１２３は、制御部１２１から供給される採点結果データに応じて採点結果を示す画像を表示する。また、制御部１２１は、採点結果データとユーザＩＤとを採点データベース６に送信する。採点データベース６は、業務用カラオケ装置１２から受信される採点結果データとユーザＩＤとをデータベースに登録する。
【００３０】
例えば、家庭でたくさん練習している人は、採点結果が高くなると考えられるため、不公平となる場合がある。そのため、本実施形態では、個人用カラオケ装置２２の使用頻度（個人利用状況データ）を業務用カラオケ装置１２の採点結果に反映させる。このようにすることで、個人用カラオケ装置２２の使用頻度が高いほど、業務用カラオケ装置１２での採点のレベルを上げることにより、より上達できるように、誘導することができる。
【００３１】
このように、本実施形態によれば、店舗用カラオケの採点システムと家庭用カラオケの採点システムを関連させ、家庭用カラオケの採点システムの採点結果を店舗用カラオケシステムの採点結果に反映させることができる。
【００３２】
＜Ｃ：変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
（１）上述の実施形態では、業務用カラオケ装置１２が、個人利用状況データに応じた採点態様で音声の採点を行うようにしたが、これに限らず、個人用カラオケ装置２２が、業務利用状況データに応じた採点態様で音声の採点を行うようにしてもよい。この場合も、上述の実施形態と同様に、例えば、個人用カラオケ装置１２が、ユーザ管理データベース１０から業務利用状況データを取得し、取得した業務利用状況データの示す利用時間が長いほど採点結果が厳しくなるように採点するようにしてもよく、また、例えば、その楽曲の再生回数が多いほど採点結果が厳しくなるように採点するようにしてもよい。このように、制御部１２１が、予め定められたアルゴリズムに従って業務利用状況データを用いて採点するようにしてもよい。要は、個人用カラオケ装置２２が、業務利用状況データに応じた採点態様で採点するようにすればよい。
【００３３】
（２）上述の実施形態では、業務用カラオケ装置１２と個人用カラオケ装置２２がエンドユーザのカラオケ歌唱について採点を行ったが、採点機能を各装置に設ける構成とせず、例えば、通信ネットワークを介して接続されたサーバ装置に採点手段を設ける構成としてもよい。この場合は、業務用カラオケ装置１２と個人用カラオケ装置２２は、自身の装置のマイクロホンで収音された音声を表す音声データをサーバ装置に送信し、サーバ装置は、受信される音声データを解析して採点を行うようにすればよい。
【００３４】
（３）上述の実施形態では、本発明に係る採点システムをカラオケサービスのために用いた形態について説明したが、本発明に係る採点システムはカラオケサービスに限らず、例えば、コンピュータゲーム等の提供サービス等、種々のサービスのために用いることが可能である。例えば、本発明に係る採点システムをコンピュータゲームの提供サービスのために用いる場合には、例えば、家庭で用いるパーソナルコンピュータでの利用状況に応じて、店舗に設置されたゲーム端末での採点結果を修正するようにしてもよい。
【００３５】
（４）上述の実施形態では、業務利用状況データや個人利用状況データが記憶されたユーザ管理データベース１０が、業務用カラオケ装置１２及び個人用カラオケ装置２２と通信ネットワークで接続されたシステムについて説明したが、これに限らず、業務利用状況データが業務用カラオケ装置１２の所定の記憶領域に記憶される構成であってもよい。この場合は、例えば、業務用カラオケ装置１２が個人利用状況データを取得する場合には、業務用カラオケ装置１２が、ユーザ管理データベース１０ではなく個人用カラオケ装置２２に対して問い合わせるようにすればよい。同様に、また、個人用カラオケ装置２２の所定の記憶領域に個人利用状況データが記憶される構成であってもよく、この場合は、個人用カラオケ装置２２が業務利用状況データを取得する場合には、個人用カラオケ装置２２が、ユーザ管理データベース１０ではなく業務用カラオケ装置１２に対して問い合わせるようにすればよい。
【００３６】
（５）上述した実施形態における業務用カラオケ装置１２、個人用カラオケ装置２２の各制御部によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記録した状態で提供し得る。また、インターネットのようなネットワーク経由で各装置にダウンロードさせることも可能である。
【図面の簡単な説明】
【００３７】
【図１】システムの構成の一例を示すブロック図である。
【図２】業務用カラオケ装置のハードウェア構成の一例を示すブロック図である。
【図３】個人用カラオケ装置のハードウェア構成の一例を示すブロック図である。
【符号の説明】
【００３８】
１…店舗、２…家屋、３…ＶＰＮ、４…店舗管理データベース、５…楽曲データベース、６…採点データベース、７…課金管理装置、８…インターネット、９…課金管理装置、１０…ユーザ管理データベース、１１…ルータ、１２…業務用カラオケ装置、１３…ＬＡＮ、２１…家庭用ルータ、２２…個人用カラオケ装置、２３…家庭内ＬＡＮ、１２１，２２１…制御部、１２２，２２２…記憶部、１２３，２２３…表示部、１２４，２２４…操作部、１２８，２２８…通信部、１２５，２２５…マイクロホン、１２６，２２６…音声処理部、１２７，２２７…スピーカ、１２２１，２２２１…カラオケコンテンツ記憶領域。
【図１】
0005061985.tif 000002
【図２】
0005061985.tif 000003
【図３】
0005061985.tif 000004